(57)【要約】【課題】凝縮器用フィルタの清掃頻度の向上を図ることで、冷凍機器の運転効率の向上を図ること。【解決手段】機械室１０ｂの開口３１を閉塞する態様で着脱可能に配設され、かつ機械室１０ｂに配設された圧縮機２２や凝縮器２３の冷凍機器に対して外気を供給するための複数の通風孔４１が通風領域４０ａに形成されたキックプレート４０において、通風領域４０ａの近傍に形成され、かつ凝縮器用フィルタ５０を挿入させるものであって、端部に凝縮器用フィルタ５０のフィルタフレーム５２の進入を許容する挿入孔溝部４２２が形成された挿入孔部４２と、通風孔４１と凝縮器２３との間にて挿入孔部４２を通じて挿入された凝縮器用フィルタ５０を支持する支持部４３とを備えている。【選択図】図１
2016174641.tif 000002
【特許請求の範囲】
【請求項１】
機械室の開口を閉塞する態様で着脱可能に配設され、かつ前記機械室に配設された冷凍機器に対して外気を供給するための複数の通風孔が通風領域に形成されたキックプレートにおいて、
前記通風領域の近傍に形成され、かつ前記冷凍機器を構成する凝縮器の目詰まりを抑制するための凝縮器用フィルタを挿入させるものであって、端部に前記凝縮器用フィルタのフレームの進入を許容する溝部が形成された長孔形状の挿入孔部と、
前記通風孔と前記凝縮器との間にて前記挿入孔部を通じて挿入された凝縮器用フィルタを支持する支持部と
を備えたことを特徴とするキックプレート。
【請求項２】
前記挿入孔部は、前記通風領域の上方側にて左右方向が長手方向となる態様で形成され、かつ両端部に下方に向けて延在する前記溝部が形成されていることを特徴とする請求項１に記載のキックプレート。
【請求項３】
前記凝縮器用フィルタは、左右一対となる把手部が前記フレームに形成されており、
前記支持部は、前記把手部が前記挿入孔部から露出されるよう支持することを特徴とする請求項２に記載のキックプレート。
【発明の詳細な説明】
【技術分野】
【０００１】
本発明は、キックプレートに関し、より詳細には、収納対象となる商品を所望の温度状態に保持するショーケースに適用されるキックプレートに関するものである。
【背景技術】
【０００２】
従来、収納対象となる商品を所望の温度状態に保持するショーケースとして、次のようなものが知られている。前面に開口が形成されたケース本体の収納室に、複数の商品載置棚が上下方向に沿って複数段設けられており、それぞれの商品載置棚における棚板に商品が載置されている。また、ケース本体内であって収納室外となる個所には、吸込口を通じて吸い込こまれた収納室内の空気が通過する空気通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品載置棚に載置された商品が所望の温度に調整されて保持される。
【０００３】
このようなショーケースには、ケース本体において収納室の下部に機械室が形成されている。機械室は、前面に開口が形成されており、その内部には上記蒸発器とともに冷凍サイクルを構成する圧縮機や凝縮器等の冷凍機器が配設されている。また機械室の前面開口は、キックプレートにより閉塞されている。このキックプレートは、ケース本体に着脱可能に配設されており、冷凍機器に対して外気を供給するための複数の通風孔が形成されている。
【０００４】
そして、凝縮器は、上面及び左右両側面がファンケースに囲繞されており、該凝縮器の前方側には、上記通風孔を通過する外気の塵埃物を捕獲するための凝縮器用フィルタがファンケースに支持されている。これにより凝縮器の目詰まりを抑制することができる（例えば、特許文献１参照）。
【先行技術文献】
【特許文献】
【０００５】
【特許文献１】特開２００３−２４０４１０号公報
【発明の概要】
【発明が解決しようとする課題】
【０００６】
ところで、上述した特許文献１に提案されているショーケースでは、凝縮器用フィルタはファンケースに支持されていて、機械室の前面開口はキックプレートに閉塞されていたので、凝縮器用フィルタを清掃若しくは交換等する場合にはキックプレートを取り外す必要があった。
【０００７】
キックプレートは、ネジ等の締結部材を用いて機械室の前面開口を閉塞する態様でケース本体に取り付けられているので、キックプレートを取り出すためには締結部材による締結を解除する必要があり、結果的にキックプレートを取り外すことが煩雑であった。
【０００８】
そのため、実際の運用においては、キックプレートの取り出しが煩雑であるために凝縮器用フィルタの清掃頻度が低くなってしまい、これにより凝縮器の周囲を通過する空気の低減を招来し、冷凍機器の運転効率が低下してしまう虞れがあった。
【０００９】
本発明は、上記実情に鑑みて、凝縮器用フィルタの清掃頻度の向上を図ることで、冷凍機器の運転効率の向上を図ることができるキックプレートを提供することを目的とする。
【課題を解決するための手段】
【００１０】
上記目的を達成するために、本発明に係るキックプレートは、機械室の開口を閉塞する態様で着脱可能に配設され、かつ前記機械室に配設された冷凍機器に対して外気を供給するための複数の通風孔が通風領域に形成されたキックプレートにおいて、前記通風領域の近傍に形成され、かつ前記冷凍機器を構成する凝縮器の目詰まりを抑制するための凝縮器用フィルタを挿入させるものであって、端部に前記凝縮器用フィルタのフレームの進入を許容する溝部が形成された長孔形状の挿入孔部と、前記通風孔と前記凝縮器との間にて前記挿入孔部を通じて挿入された凝縮器用フィルタを支持する支持部とを備えたことを特徴とする。
【００１１】
また本発明は、上記キックプレートは、前記挿入孔部は、前記通風領域の上方側にて左右方向が長手方向となる態様で形成され、かつ両端部に下方に向けて延在する前記溝部が形成されていることを特徴とする。
【００１２】
また本発明は、上記キックプレートは、前記凝縮器用フィルタは、左右一対となる把手部が前記フレームに形成されており、前記支持部は、前記把手部が前記挿入孔部から露出されるよう支持することを特徴とする。
【発明の効果】
【００１３】
本発明によれば、通風領域の近傍に形成された長孔形状の挿入孔部が、凝縮器用フィルタを挿入させるものであって、かつ端部の溝部に凝縮器用フィルタのフレームの進入を許容しており、支持部が、通風孔と凝縮器との間にて挿入孔部を通じて挿入された凝縮器用フィルタを支持するので、自身を取り外すことなく、凝縮器用フィルタの着脱を容易に行うことができる。そのため、凝縮器用フィルタの清掃頻度の向上を図ることができ、冷凍機器の運転効率の向上を図ることができるという効果を奏する。
【図面の簡単な説明】
【００１４】
【図１】図１は、本発明の実施の形態であるキックプレートが適用されたショーケースの断面側面図である。
【図２】図２は、図１に示したキックプレートを示す正面図である。
【図３】図３は、図１に示したキックプレートを示す平面図である。
【図４】図４は、図３におけるＡ−Ａ線断面図である。
【図５】図５は、凝縮器用フィルタを示す正面図である。
【図６】図６は、図５のＢ−Ｂ線断面図である。
【図７】図７は、図５のＣ−Ｃ線断面図である。
【図８】図８は、挿入孔部に凝縮器用フィルタを挿入させた場合の状態を示す断面側面図である。
【図９】図９は、挿入孔部に挿入された凝縮器用フィルタのフレームの左端部及び右端部を模式的に示す説明図である。
【図１０】図１０は、挿入孔部に凝縮器用フィルタを挿入させた場合の状態を示す断面側面図である。
【図１１】図１１は、挿入孔部に挿入された凝縮器用フィルタのフレームの左端部及び右端部を模式的に示す説明図である。
【図１２】図１２は、挿入孔部に凝縮器用フィルタを挿入させた場合の状態を示す断面側面図である。
【発明を実施するための形態】
【００１５】
以下に添付図面を参照して、本発明に係るキックプレートの好適な実施の形態について詳細に説明する。
【００１６】
図１は、本発明の実施の形態であるキックプレートが適用されたショーケースの断面側面図である。ここで例示するショーケースは、ケース本体１０を備えている。
【００１７】
ケース本体１０は、略直方状の筐体であり、断熱構造を有する収容室１０ａと、該収容室１０ａの下方域に設けられた機械室１０ｂとが設けられている。収容室１０ａは、前面開口が形成され、その内部には収納室１１が画成されているとともに、空気循環手段１２が設けられている。
【００１８】
収納室１１は、上記前面開口を臨む態様で画成された室であり、複数の商品陳列棚１３が上下方向に沿って複数段並べて配設されている。
【００１９】
空気循環手段１２は、空気通路１４と循環ファン１５とを備えて構成されている。空気通路１４は、吸込口１６から吹出口１７に至る空気の通路である。ここで吸込口１６は、収納室１１の内部の空気を吸い込むための開口であり、収納室１１の左右方向に沿って延設されている。この吸込口１６は、収納室１１の下側前方縁部、すなわちケース本体１０の前面開口近傍の下部に配設されている。吹出口１７は、収納室１１の内部に空気を吹き出すための開口である。この吹出口１７は、収納室１１の左右方向に沿って延設してあり、収納室１１の上側前方縁部、すなわちケース本体１０の前面開口近傍の上部に配設されている。
【００２０】
このような空気通路１４は、収納室１１の外部であってその下方にある下方ダクト１４ａと、収納室１１の外部であってその背面側にある背面ダクト１４ｂと、収納室１１の外部であってその上方にある上方ダクト１４ｃとを互いに連通した態様で構成されている。
【００２１】
循環ファン１５は、空気を循環させるものであり、下方ダクト１４ａの所定部位に配設されている。本実施の形態においては、循環ファン１５は、下方ダクト１４ａの所定部位に配設されているが、本発明では、循環ファンの配設部位は特に限定されるものではなく、循環ファンの機能を発揮することができる個所であればどの部位に配設しても構わない。
【００２２】
このような空気循環手段１２においては、循環ファン１５が駆動することにより吸込口１６を通じて収納室１１の内部にある空気（内部空気）を吸い込み、吸い込んだ空気が空気通路１４を通過する態様で吹出口１７まで送出し、吹出口１７を通じて送出した空気を収納室１１の内部に吹き出すことにより、収納室１１の内部と外部との間で空気を循環させるものである。
【００２３】
上記空気通路１４の背面ダクト１４ｂには、蒸発器２１が設けられている。蒸発器２１は、機械室１０ｂに配設された圧縮機２２及び凝縮器２３等の冷凍機器とともに冷媒を循環させる冷媒循環手段を構成している。ここで圧縮機２２は、冷媒を圧縮するものであり、凝縮器２３は、圧縮機２２で圧縮された冷媒を凝縮させるものである。この凝縮器２３の後方側には庫外送風ファン２４が設けられている。この凝縮器２３で凝縮した冷媒は、膨張弁で断熱膨張されて低温低圧の状態にされる。
【００２４】
蒸発器２１は、循環ファン１５が駆動することにより背面ダクト１４ｂを下方から上方に向けて通過する空気と、膨張弁で断熱膨張された冷媒とを熱交換させるもの、より詳細には、冷媒を蒸発させることにより背面ダクト１４ｂ（空気通路１４）を通過する空気を冷却するものである。この蒸発器２１で蒸発した冷媒は、再び圧縮機２２に戻り圧縮されることになる。
【００２５】
機械室１０ｂは、収容室１０ａの下方域に設けられている。この機械室１０ｂの前面には開口３１が形成されており、かかる開口３１はキックプレート４０により閉塞されている。
【００２６】
図２〜図４は、それぞれ図１に示したキックプレートを示すものであり、図２は正面図であり、図３は平面図であり、図４は図３におけるＡ−Ａ線断面図である。
【００２７】
これら図２〜図４に示すように、キックプレート４０は、通風孔４１、挿入孔部４２及び支持部４３を備えて構成されている。
【００２８】
通風孔４１は、キックプレート４０における通風領域４０ａに複数形成されている。通風領域４０ａは、凝縮器２３の前方側に位置する領域であり、より詳細には凝縮器２３に対向する領域である。通風孔４１は、それぞれ庫外送風ファン２４が駆動することにより、外気を凝縮器２３等に供給するためのものである。
【００２９】
挿入孔部４２は、通風領域４０ａの上方部分に形成され、左右方向が長手方向となる長孔形状を有するものである。この挿入孔部４２は、挿入孔基部４２１と挿入孔溝部４２２とを有している。
【００３０】
挿入孔基部４２１は、左右方向が長手方向となる矩形状の長孔部分である。この挿入孔基部４２１の左右方向の長さは、後述する凝縮器用フィルタ５０の左右方向の長さよりも僅かに大きいものである。
【００３１】
挿入孔溝部４２２は、挿入孔基部４２１の左右両端部において該挿入孔基部４２１に連続する態様で形成されている。これら挿入孔溝部４２２は、それぞれ挿入孔基部４２１の端部より下方に向けて延在している。より詳細に説明すると、挿入孔溝部４２２は、下方に向かうに連れて左右幅が漸次小さくなるよう互いに対向する一方の縁部が他方の縁部に近接するよう傾斜する第１溝部４２２ａと、下方に向かうに連れて左右幅が等しくなるよう互いに対向する縁部が平行に延在する第２溝部４２２ｂとを有しており、第１溝部４２２ａは挿入孔基部４２１に連続し、かつ第２溝部４２２ｂは第１溝部４２２ａに連続して形成されている。
【００３２】
支持部４３は、キックプレート４０の後面より後方に向けて突出する態様で形成されており、挿入孔部４２を通じて挿入された凝縮器用フィルタ５０を支持するためのものである。この支持部４３は、支持側部４３ａと支持下部４３ｂとを備えて構成されている。
【００３３】
支持側部４３ａは、左右一対のものであり、支持左側部４３１と支持右側部４３２とを有している。支持左側部４３１は、キックプレート４０の後面において挿入孔部４２の左方側に形成されており、後方に向けて延在する左側後延部４３１ａと、該左側後延部４３１ａの延在端部より右方に向けて延在する左側右延部４３１ｂとが一体的に形成されて構成されている。
【００３４】
支持右側部４３２は、キックプレート４０の後面において挿入孔部４２の右方側に形成されており、後方に向けて延在する右側後延部４３２ａと、該右側後延部４３２ａの延在端部より左方に向けて延在する右側左延部４３２ｂとが一体的に形成されて構成されている。
【００３５】
これら支持側部４３ａにおいては、支持左側部４３１の左側後延部４３１ａと、支持右側部４３２の右側後延部４３２ａとの離間距離は、凝縮器用フィルタ５０の左右幅よりも大きいものであり、支持左側部４３１の左側右延部４３１ｂと、支持右側部４３２の右側左延部４３２ｂとの離間距離は、凝縮器用フィルタ５０の左右幅よりも小さいものである。
【００３６】
支持下部４３ｂは、支持側部４３ａの下方側において、支持左側部４３１と支持右側部４３２とに跨るように左右方向に沿って延在して形成されている。
【００３７】
このような構成を有するキックプレート４０は、両側部に形成された貫通孔４４に例えばネジ等の締結部材が貫通してケース本体１０に螺合されることで機械室１０ｂの前面の開口３１を閉塞する態様で配設される。
【００３８】
図５〜図７は、それぞれ凝縮器用フィルタ５０を示すものであり、図５は正面図であり、図６は図５のＢ−Ｂ線断面図、図７は図５のＣ−Ｃ線断面図である。
【００３９】
これら図５〜図７に示すように、凝縮器用フィルタ５０は、フィルタ本体部５１、フィルタフレーム５２及び把手部５３を備えて構成されている。
【００４０】
フィルタ本体部５１は、略矩形状の形態を成している。このフィルタ本体部５１は、空気の通過を許容しつつ該空気中に含まれる塵埃物を捕獲するものである。
【００４１】
フィルタフレーム５２は、フィルタ本体部５１の周囲を囲繞する態様で形成されており、例えば鉄等の金属材、あるいはプラスチック等の樹脂材から構成されるものである。このフィルタフレーム５２は、上端部５２ａと下端部５２ｂとが対向し、かつ左端部５２ｃと右端部５２ｄとが対向している。
【００４２】
把手部５３は、左右一対となる態様でフィルタフレーム５２の上端部５２ａより上方に突出する態様で形成されている。
【００４３】
このような構成を有する凝縮器用フィルタ５０は、次のようにしてキックプレート４０の支持部４３に支持される。
【００４４】
凝縮器用フィルタ５０は、挿入孔部４２に挿入され、図８に示すようにフィルタフレーム５２の下端部５２ｂの一部が支持側部４３ａの左側右延部４３１ｂ及び右側左延部４３２ｂと摺接する。この場合において、凝縮器用フィルタ５０のフィルタフレーム５２の左端部５２ｃ及び右端部５２ｄは、図９に示すように、挿入孔部４２の端部、すなわち挿入孔基部４２１の端部を挿通している。
【００４５】
そして、フィルタフレーム５２の下端部５２ｂが左側右延部４３１ｂ及び右側左延部４３２ｂに摺接した状態で凝縮器用フィルタ５０が徐々に挿入孔部４２に挿入されていくと、図１０に示すように、凝縮器用フィルタ５０は、湾曲するように撓む。
【００４６】
この場合において、凝縮器用フィルタ５０のフィルタフレーム５２の左端部５２ｃ及び右端部５２ｄの一部が、図１１に示すように、挿入孔部４２における挿入孔溝部４２２の第１溝部４２２ａを挿通する。つまり、挿入孔溝部４２２は、フィルタフレーム５２の進入を許容することで、挿入孔部４２の縁部とフィルタフレーム５２との間で生ずる摩擦力を低減している。
【００４７】
その後、フィルタフレーム５２の下端部５２ｂが左側右延部４３１ｂ及び右側左延部４３２ｂ、並びに支持下部４３ｂに接した状態となることで、図１２に示すように、凝縮器用フィルタ５０は、湾曲した状態から自身の復元力により元の状態に戻り、把手部５３が挿入孔部４２から露出された状態で支持部４３により支持される。より詳細に説明すると、凝縮器用フィルタ５０は、上方に向かうに連れて漸次前方に傾斜した姿勢で、通風孔４１と凝縮器２３との間で支持部４３により支持され、キックプレート４０の通風孔４１を通過する空気がフィルタ本体部５１を通過するように配設される。これにより、凝縮器用フィルタ５０は、凝縮器２３の目詰まりを抑制することができる。
【００４８】
一方、このように支持部４３に支持される凝縮器用フィルタ５０は、次のようにして取り出される。
【００４９】
すなわち、把手部５３が作業者によって把持されて斜め前方に向けて引き抜かれることで、凝縮器用フィルタ５０は、フィルタフレーム５２の下端部５２ｂが左側右延部４３１ｂ及び右側左延部４３２ｂに摺接しながら、挿入孔部４２を通じて外部に取り出されることとなる。この場合に、凝縮器用フィルタ５０は、斜め前方に引き抜かれる途中において、一時的に湾曲するよう撓んでフィルタフレーム５２の左端部５２ｃ及び右端部５２ｄの一部が挿入孔部４２の挿入孔溝部４２２を挿通することで、挿入孔部４２とフィルタフレーム５２との間で生ずる摩擦力を低減している。
【００５０】
以上説明したように、本実施の形態であるキックプレート４０によれば、通風領域４０ａの上方部分に形成された長孔形状の挿入孔部４２が、凝縮器用フィルタ５０を挿入させるものであって、かつ端部の挿入孔溝部４２２に凝縮器用フィルタ５０のフィルタフレーム５２の左端部５２ｃ及び右端部５２ｄの進入を許容しており、支持部４３が、通風孔４１と凝縮器２３との間にて挿入孔部４２を通じて挿入された凝縮器用フィルタ５０を支持するので、キックプレート４０を取り外すことなく、凝縮器用フィルタ５０の着脱を容易に行うことができる。そのため、凝縮器用フィルタ５０の清掃頻度の向上を図ることができ、圧縮機２２や凝縮器２３の冷凍機器の運転効率の向上を図ることができる。
【００５１】
上記キックプレート４０によれば、挿入孔部４２が通風領域４０ａの上方側にて左右方向が長手方向となる態様で形成され、かつ両端部に下方に向けて延在する挿入孔溝部４２２が形成されているので、凝縮器用フィルタ５０を下方に向けて挿入孔部４２に挿入させて支持部４３に支持させることができるとともに、該凝縮器用フィルタ５０を上方に向けて引き出すことができるので、ケース本体１０の下方域に機械室１０ｂが設置されることを考慮すれば、作業性を良好なものとすることができる。
【００５２】
上記キックプレート４０によれば、支持部４３が把手部５３が挿入孔部４２から露出されるよう支持するので、作業者は把手部５３を把持することで凝縮器用フィルタ５０を容易に取り出すことができ、これによっても作業性を向上させることができる。
【００５３】
以上、本発明の好適な実施の形態について説明したが、本発明はこれに限定されるものではなく、種々の変更を行うことができる。
【００５４】
上記実施の形態においては、挿入孔溝部４２２は、挿入孔部４２の両端部において、挿入孔基部４２１の端部より下方に向けて延在していたが、本発明においては、挿入孔部を構成する溝部は、凝縮器用フィルタのフレームの進入を許容するものであれば、その形状、並びに形成部位は特に限定されるものではない。
【符号の説明】
【００５５】
１０  ケース本体
１０ｂ  機械室
３１  開口
４０  キックプレート
４０ａ  通風領域
４１  通風孔
４２  挿入孔部
４２１  挿入孔基部
４２２  挿入孔溝部
４２２ａ  第１溝部
４２２ｂ  第２溝部
４３  支持部
４３ａ  支持側部
４３ｂ  支持下部
４３１  支持左側部
４３１ａ  左側後延部
４３１ｂ  左側右延部
４３２  支持右側部
４３２ａ  右側後延部
４３２ｂ  右側左延部
５０  凝縮器用フィルタ
５１  フィルタ本体部
５２  フィルタフレーム
５３  把手部
【図１】
2016174641.tif 000003
【図２】
2016174641.tif 000004
【図３】
2016174641.tif 000005
【図４】
2016174641.tif 000006
【図５】
2016174641.tif 000007
【図６】
2016174641.tif 000008
【図７】
2016174641.tif 000009
【図８】
2016174641.tif 000010
【図９】
2016174641.tif 000011
【図１０】
2016174641.tif 000012
【図１１】
2016174641.tif 000013
【図１２】
2016174641.tif 000014